(57)【特許請求の範囲】
【請求項１】
支持台に立設された筒状体内に引き出し可能に支柱部が内挿され、この支柱部の伸縮調整によって任意の高さに設定する支柱と、この支柱の先端部に回動可能、かつ互いに反対側に突き出すようにネジ体により支持された２つの支持アームと、前記支柱の先端部に、上部側が半円状をなし、かつ前記ネジ体のネジ止め位置が水平零度となるように取り付けられる角度メモリ盤と、各支持アームの先端部に取り付けられ、乗客コンベア両側の手すりベルトに光を照射する光学式マーカとを備え、各光学式マーカから発する光を手すりベルトに照射して前記手すりベルトの同期ずれ確認用マーキングを施すようにしたことを特徴とする乗客コンベアの同期測定具。
【請求項２】
手すりベルトと踏み段との同期移動を確認する乗客コンベアの同期測定方法において、
乗客コンベアの停止時に一端側または最下階近傍の踏み段中心部に請求項１の構成を有する同期測定具を設定する第１のステップと、前記同期測定具を構成する各支持アームの先端部に取り付けられた光学式マーカから発する光が前記両手すりベルトに照射するように該支持アームの首振り角度が調整され、その調整された首振り角度のもとに照射された光の照らされた前記手すりベルトの部分にマーキングを施す第２のステップと、前記乗客コンベアの運転により前記同期測定具を設定した前記踏み段が他端側または最上階近傍に達して運転が停止されたとき、前記第２のステップと同様に光学式マーカから発する光が前記それぞれ手すりベルトに照射するように該支持アームの首振り角度を調整する第３のステップと、前記手すりベルトに施したマーキング位置と前記第３のステップによる手すりベルトの光照射位置との関係から、前記手すりベルトと前記踏み段との同期移動を確認する第４のステップとを有することを特徴とする乗客コンベアの同期測定方法。
【発明の詳細な説明】
【技術分野】
【０００１】
本発明の実施の形態は、乗客コンベアの同期測定具及びその同期測定方法に関する。
【背景技術】
【０００２】
一般に、エスカレータや動く歩道のような乗客コンベアでは、乗客を乗せる踏み段と、この踏み段両側の運転方向にそって配置される手すり用欄干と、各手すり用欄干にそれぞれ掛け渡された無端の手すりベルトとを有し、手すりベルトと踏み段は、互いに同期して移動する構成となっている。
【０００３】
ところで、乗客コンベアを利用する場合、乗客は手すりベルトに手を掛けて体を支えるなどして利用するが、人為的あるいは不可抗力によって手すりベルトに大きな力が付加されたり、あるいは何らかの要因によって手すりベルトがスリップすると、左右の手すりベルトと踏み段とが同期して移動しなくなってしまう恐れがある。このような事態が発生すると、乗客の態勢が崩れ、事故につながる恐れがある。
【０００４】
そこで、定期的あるいは必要に応じて、手すりベルトと踏み段の同期測定を行っている。
【０００５】
ところで、従来の同期測定には、専用の同期測定工具が無く、エスカレータの据付けなどに用いる芯出し用の下げ振りを利用して同期測定を行っている。
【０００６】
この芯出し用下げ振りを用いた同期測定方法の一例としては、エスカレータ走行方向と直交する両手すりベルト外側に２つの支柱を立て、両支柱に張られた紐糸に下げ振りを吊り下げ、エスカレータ運転前の最下位となる踏み段中央部に下げ振りを落とし、当該踏み段中央部と両支柱に張られた紐糸が交差する手すりベルトとにマーキングを施している。
【０００７】
しかる後、エスカレータを運転し、該当踏み段が最上位近傍まで移動させる。このとき、最上位近傍にも同様にエスカレータ走行方向と直交する２つの支柱を立て、両側支柱に張られた紐糸に下げ振りを吊り下げ、前述した踏み段中央部のマーキングに下げ振りを設定する。この状態において、両支柱に張られた紐糸が交差する手すりベルト位置と手すりベルトのマーキング位置とがほぼ等しいか否か、つまり手すりベルトと踏み段が同期して移動しているかを確認する。
【０００８】
手すりベルトと踏み段が同期して移動していないとき、必要な処置（例えば手すりベルトに必要なテンションをかけるなど）が講じられる。
【０００９】
しかしながら、下げ振りを使って手すりベルトと踏み段の同期測定を行っていることから、下げ振りを吊り下げるための２つの支柱を立てたり、紐糸を張ったり、さらには正確に位置決めしながら２つの支柱を立てるなど、作業効率が非常に悪い。
【００１０】
また、手すりベルトと踏み段中間部とのマーキングにおいても、エスカレータの運転前後，つまり運転前の最下位の踏み段と運転後の最上位近傍の踏み段とに対応付けて個別に支柱を立て、下げ振りを下げ、手すりベルトと踏み段のマーキングによる同期ずれを確認する必要があるので、作業時間が長くなる問題がある。
【００１１】
さらに、下げ振りの紐糸からの吊り下げ時、下げ振りの重りの振れによって手すり用欄干に嵌め込んだガラスに傷を付ける可能性も指摘されている。
【先行技術文献】
【特許文献】
【００１２】
【特許文献１】特開平０６−１５６９５９号公報
【発明の概要】
【発明が解決しようとする課題】
【００１３】
本発明が解決しようとする課題は、同期測定の作業効率を向上し、取扱い簡単で短時間に安全に同期測定を実現できる乗客コンベアの同期測定具及びその同期測定方法を提供するものである。
【課題を解決するための手段】
【００１４】
上記課題を解決するために、実施の形態に係る乗客コンベアの同期測定具は、支持台に立設された筒状体内に引き出し可能に支柱部が内挿され、この支柱部の伸縮調整によって任意の高さに設定する支柱と、この支柱の先端部に回動可能、かつ互いに反対側に突き出すようにネジ体により支持された２つの支持アームと、前記支柱の先端部に、上部側が半円状をなし、かつ前記ネジ体のネジ止め位置が水平零度となるように取り付けられる角度メモリ盤と、各支持アームの先端部に取り付けられ、乗客コンベア両側の手すりベルトに光を照射する光学式マーカとを備え、各光学式マーカから発する光を手すりベルトに照射して前記手すりベルトの同期ずれ確認用マーキングを可能にする構成である。
【図面の簡単な説明】
【００１５】
【図１】実施の形態に係る乗客コンベアの同期測定具を示す構成図。
【図２】実施の形態に係る乗客コンベアの同期測定具をエスカレータの踏み段に設定し、マーキングを施す様子を説明する図。
【図３】実施の形態に係る乗客コンベアの同期測定方法の作業手順の一例を示す図。
【発明を実施するための形態】
【００１６】
以下、実施の形態について、図面を参照して説明する。  
図１は実施の形態に係る乗客コンベアの同期測定具を示す構成図である。
【００１７】
同期測定具１は、箱型または充実ブロックなどの支持台２と、支持台２に立設される支柱３と、この支柱３先端部に固定ネジ４で支持される２つの支持アーム５，５と、この支持アーム５，５の先端に付設されるマーカ６，６とを含む構成である。
【００１８】
支柱３は、内部が充実した柱体が用いられるが、例えば筒状体内に引き出し可能に先端支柱部が内挿され、必要に応じて先端支柱部を任意の高さに引き出し調整した後にネジ止めする構造であってもよい。固定ネジ４は、一般に使用されているネジの他、蝶ネジであってもよい。
【００１９】
マーカ６，６は、一般に市販されている光学式マーカが使用される。
【００２０】
図２はエスカレータの踏み段に同期測定具１を設定した例を示す図である。  
同図において、１１，…は無端状に連なる踏み段、１２，１２は踏み段１１，…の走行方向の両側に配置された手すり用欄干に掛け渡された手すりである。１３は上下階などに跨って設置されるエスカレータの下階床に敷設される下階床板である。エスカレータの上階床にも同様に上階床板（図示せず）が敷設される。
【００２１】
従って、図２（ａ）はエスカレータの下階床近傍となる例えば最下位の踏み段１１に同期測定具１が設定され、図２（ｂ）はエスカレータの上階床近傍の踏み段１１に同期測定具１が設定されている状態を表している。
【００２２】
次に、本実施の形態に係る乗客コンベアの同期測定方法の作業手順の一例について、図３を参照して説明する。
【００２３】
先ず、エスカレータを停止させた状態において、同期測定具１を構成する各支持アーム５，５先端部に例えばネジ止めなどにより光学式マーカ６，６を固定する（Ｓ１）。
【００２４】
しかる後、下階床近傍となる例えば最下位の踏み段１１上面の中心部位に光学式マーカ６，６を固定した同期測定具１を設定した後（Ｓ２）、光学式マーカ６，６の電源をオンする（Ｓ３）。
【００２５】
さらに、固定ネジ４を緩めた後、水平方向に対して各支持アーム５，５の首振り角度を調整し、各マーカ６，６から発する光が手すりベルト１２，１２の側面またはベルト面を通るように照射した状態で固定ネジ４を締め付け、各マーカ６，６から発する光が手すりベルト１２，１２の側面またはベルト表面を照らすように固定する（Ｓ４）。
【００２６】
以上のようにして各マーカ６，６から発する光を手すりベルト１２，１２に投射した後、それぞれ手すりベルト１２，１２の光の当った例えば側面部などにマーキングＭを施す（Ｓ５）。
【００２７】
さらに、必要に応じてマーカ６，６の電源をオフした後（Ｓ６）、例えば踏み段１１に同期測定具１を設置したまま、あるいは踏み段１１から一時的に同期測定具１を取り外した後、エスカレータを運転し、該当踏み段１１が上階床近傍に近づいたとき、運転を停止する（Ｓ７）。
【００２８】
ここで、マーカ６，６の電源がオフされている場合、マーカ６，６の電源をオンする。マーカ６，６の電源がオンすると、ステップＳ５と同様に各マーカ６，６から発する光が手すりベルト１２，１２の側面などに投射される。
【００２９】
そこで、作業員は、手すりベルト１２，１２に付された各マーキングＭとマーカ６，６から発する光の当るベルト部位との間の距離をスケールなどで測定し、手すりベルト１２と踏み段１１とが同期して移動しているかを確認する（Ｓ８）。なお、マーキングＭは、図２（ｂ）に示すようにマーカ６，６から発した光の当っているベルト部位よりも下位側部位又は上位側部位に現れるので、それに応じて手すりベルト１２，１２に付加されているテンションの状態や間接的には手すりベルト１２，１２の摩耗の程度も把握できる。
【００３０】
従って、以上のような実施の形態によれば、所要の踏み段１１に同期測定具１を設定した後、各マーカ６，６から発する光を手すりベルト１２に投射してマーキングするので、従来のように支柱を立てたり、紐糸を張ったり、紐糸から下げ振りを最適位置に吊下させるなどの作業が不要となり、手すりベルト１２にマーキングする作業が非常に効率的に行うことができる。
【００３１】
また、運転前の最下位の踏み段と運転後の最上位近傍の踏み段の中央部分に同期測定具１を置くだけであるので、短時間に手すりベルトと踏み段のマーキングによる同期ずれを確認できる。
【００３２】
さらに、従来のように下げ振りの重りの振れによって手すり用欄干に嵌め込んだガラスを損傷する可能性のリスクも低減できる。
【００３３】
（その他の実施の形態）
（１）  上記実施の形態では、作業員がマーカ６から発する光が手すりベルト１２，１２に投射するように２つの支持アーム５，５の首振り角度を調整しているが、例えば支柱３先端部に上部半円状をなす角度メモリ盤を取り付け、固定ネジ４のネジ止め位置を水平零度とし、角度メモリ盤を見ながら２つの支持アーム５，５が互いに所定の首振り角度となるように設定し、固定ネジ４で固定する構成であってもよい。
【００３４】
（２）  上記実施の形態では、支持アーム５，５に着脱可能にマーカ６，６を取り付けたが、予め支持アーム５，５にマーカ６，６を固定的に取り付けた構成であってもよい。
【００３５】
（３）  さらに、上記実施の形態は、一例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３６】
１…同期測定具、２…支持台、３…支柱、４…固定ネジ、５…支持アーム、６…光学式マーカ、１１…踏み段、１２…手すりベルト、Ｍ…マーキング。
【図１】
0005660637.tif 000002
【図２】
0005660637.tif 000003
【図３】
0005660637.tif 000004